(57)【要約】【課題】店内での買物途中で次回以降に購入したい商品の予約をセルフ操作によりかつ経費がかかることなく簡単にでき、かつ以前の予約内容を容易に確認できるようにする。【解決手段】情報端末２は、客コードが取得されたことを条件に予約商品情報の入力を受付け、予約商品情報が入力されると、この情報を客コードとともに予約管理サーバ３に無線送信する。また、客コードを含む問合せ信号を予約管理サーバ３に無線送信し、応答情報に基づいて予約商品識別情報及び購入予定日情報のリストを表示する。予約管理サーバ３は、情報端末２から受信した予約情報を客コード別に顧客データベース７で記憶する。問合せ信号を受信すると、当該信号に含まれる客コードで顧客データベース７を検索して当該客コード別に記憶されている予約商品識別情報及び購入予定日情報を読出し問合せ元の情報端末に無線通信回線を経由して送信する。【選択図】      図１
2007065748.tif 000002
【特許請求の範囲】
【請求項１】
入力部，表示部及び無線回路部を設け、来店した買物客自身によって操作される情報端末と、前記情報端末からの要求を受けて処理を行う予約管理サーバとを備え、前記情報端末と前記予約管理サーバとを無線通信回線で接続してなる予約管理システムにおいて、
前記情報端末は、
買物客を特定する客コードを取得する客コード取得手段と、
この客コード取得手段により客コードが取得されたことを条件に当該買物客が予約する商品の識別情報及び購入予定日情報の入力を受付け、前記入力部を介して予約商品識別情報及び購入予定日情報が入力されると、この入力情報を前記客コードとともに前記予約管理サーバに前記無線回路部を介して送信する商品予約処理手段と、
前記客コード取得手段により取得された客コードを含む問合せ信号を前記予約管理サーバに前記無線回路部を介して送信し、この問合せ信号に応答して前記予約管理サーバから送信される情報を前記無線回路部で受信し前記表示部に表示する顧客情報処理手段とを具備し、
前記予約管理サーバは、
前記情報端末から前記無線通信回線を経由して送られてくる前記予約商品識別情報及び購入予定日情報を客コード別に記憶する客別予約情報記憶手段と、
前記情報端末から前記無線通信回線を経由して前記問合せ信号を受信すると、当該問合せ信号に含まれる客コードで前記客別予約情報記憶手段を検索して当該客コード別に記憶されている予約商品識別情報及び購入予定日情報を読出し問合せ元の情報端末に前記無線通信回線を経由して送信する顧客情報応答手段とを具備し、
前記顧客情報処理手段は、前記予約管理サーバから受信した予約商品識別情報及び購入予定日情報をリストとして前記表示部に表示可能であることを特徴とする予約管理システム。
【請求項２】
前記顧客情報処理手段は、前記予約管理サーバから受信した予約商品識別情報及び購入予定日情報を、購入予定日が経過している商品と経過していない商品とが区別されたリストとして前記表示部に表示可能であることを特徴とする請求項１記載の予約管理システム。
【請求項３】
前記情報端末は、
前記顧客情報処理手段により前記表示部に表示されたリストから予約取消商品の選択を可能とし、予約取消商品が選択されるとその予約取消商品の識別情報を前記客コードとともに前記予約管理サーバに前記無線回路部を介して送信する予約取消指令手段をさらに具備し、
前記予約管理サーバは、
前記情報端末から前記無線通信回線を経由して予約取消商品の識別情報が送られてくると、この識別情報に付加されている客コードで前記客別予約情報記憶手段を検索して当該客コード別に記憶されている情報の中から当該予約取消商品の識別情報と一致する予約商品識別情報及び購入予定日情報を削除する予約取消処理手段をさらに具備したことを特徴とする請求項１記載の予約管理システム。
【請求項４】
前記情報端末は、
商品のクーポンを発行するクーポン発行手段をさらに具備し、
前記商品予約処理手段は、前記入力部を介して予約商品識別情報及び購入予定日情報が入力された商品に対してクーポン情報が設定されているか否かを判断し、設定されている場合にはそのクーポン情報に基づくクーポンの発行を可能にする手段を含むことを特徴とする請求項１記載の予約管理システム。
【請求項５】
前記情報端末は、
商品のクーポンを発行するクーポン発行手段と、
前記顧客情報処理手段により前記表示部に表示されたリストからクーポン発行商品の選択を可能とし、クーポン発行商品が選択されるとその商品に対するクーポンが発行済か否かを判断し、発行済でないと判断されると前記クーポン発行手段を介して当該クーポン発行商品に対するクーポンを発行させるとともに当該クーポン発行商品の識別情報を前記客コードとともに前記予約管理サーバに前記無線回路部を介して送信するクーポン発行制御手段とをさらに具備し、
前記予約管理サーバは、
前記情報端末から前記無線通信回線を経由してクーポン発行商品の識別情報が送られてくると、この識別情報に付加されている客コードで前記客別予約情報記憶手段を検索して当該客コード別に記憶されている情報の中から当該クーポン発行商品の識別情報と一致する予約商品識別情報及び購入予定日情報にクーポン発行済情報を付加して記憶するクーポン発行管理手段をさらに具備したことを特徴とする請求項１記載の予約管理システム。
【請求項６】
前記情報端末は、ショッピングカートに取付けられていることを特徴とする請求項１乃至５のいずれかに記載の予約管理システム。
【発明の詳細な説明】
【技術分野】
【０００１】
本発明は、小売店に構築され、買物客自身の操作により商品の予約が可能、かつ、以前に予約した商品の情報を確認可能な予約管理システムに関する。
【背景技術】
【０００２】
従来、インターネットを介して接続された携帯電話機からカード番号と商品を指定するデータの入力を受けて購入商品の予約を受付けるＷｅｂサーバと、カード番号とそれに対応して予約された登録商品のリストとを記憶するデータベースとを備え、処理装置が、Ｗｅｂサーバに入力されたカード番号と商品を指定するデータをデータベースに登録するとともに、ショッピングカートからカード番号を受信した場合にはデータベースから当該カード番号に対応する登録情報を取得して当該ショッピングカートに送信し、当該ショッピングカートの表示部に表示させるようにした予約管理システムがあった（例えば、特許文献１参照）。
【特許文献１】特開２００２−３０４６７１号公報
【発明の開示】
【発明が解決しようとする課題】
【０００３】
従来の予約管理システムにおいては、買物客は店に行く前に購入したい商品を携帯電話機から予約登録しておけば、店のショッピングカートに登録商品のリストが表示されるので、買い忘れを防ぐことができる効果を奏する。
【０００４】
しかしながら、店内で買物をしている途中で次回以降に購入したい商品を発見し、予約登録しようと思った場合、従来の予約管理システムでは携帯電話機から予約登録しなければならず、通信コストがかかる上、携帯電話機を所持していないと対応できないという不便さがあった。
【０００５】
本発明はこのような事情に基づいてなされたもので、その目的とするところは、店内での買物途中で次回以降に購入したい商品の予約をセルフ操作によりかつ経費がかかることなく簡単にできるとともに、以前の予約内容を容易に確認することができ、買い忘れを防止することができる予約管理システムを提供しようとするものである。
【課題を解決するための手段】
【０００６】
本発明は、入力部，表示部及び無線回路部を設け、来店した買物客自身によって操作される情報端末と、この情報端末からの要求を受けて処理を行う予約管理サーバとを備え、情報端末と予約管理サーバとを無線通信回線で接続してなる予約管理システムである。  
情報端末は、買物客を特定する客コードを取得する客コード取得手段と、この客コード取得手段により客コードが取得されたことを条件に当該買物客が予約する商品の識別情報及び購入予定日情報の入力を受付け、入力部を介して予約商品識別情報及び購入予定日情報が入力されると、この入力情報を客コードとともに予約管理サーバに無線回路部を介して送信する商品予約処理手段と、客コード取得手段により取得された客コードを含む問合せ信号を予約管理サーバに無線回路部を介して送信し、この問合せ信号に応答して予約管理サーバから送信される情報を無線回路部で受信し表示部に表示する顧客情報処理手段とを備えている。  
予約管理サーバは、情報端末から無線通信回線を経由して送られてくる予約商品識別情報及び購入予定日情報を客コード別に記憶する客別予約情報記憶手段と、情報端末から無線通信回線を経由して問合せ信号を受信すると、当該問合せ信号に含まれる客コードで客別予約情報記憶手段を検索して当該客コード別に記憶されている予約商品識別情報及び購入予定日情報を読出し問合せ元の情報端末に無線通信回線を経由して送信する顧客情報応答手段とを備えている。  
情報端末が備える顧客情報処理手段は、予約管理サーバから受信した予約商品識別情報及び購入予定日情報をリストとして表示部に表示可能となっている。
【発明の効果】
【０００７】
かかる手段を講じた本発明によれば、店内での買物途中で次回以降に購入したい商品の予約をセルフ操作によりかつ経費がかかることなく簡単にできるとともに、以前の予約内容を容易に確認することができ、買い忘れを防止することができる予約管理システムを提供できる。
【発明を実施するための最良の形態】
【０００８】
以下、本発明を実施するための最良の形態について説明する。  
なお、この実施の形態は、スーパーマーケットの食料品売場等のようにショッピングカートが導入された小売店での予約管理システムとして本発明を適用した場合である。
【０００９】
図１は本実施の形態における予約管理システムの概略構成図である。この予約管理システムは、複数台のショッピングカート１にそれぞれ１機ずつ取付けられた複数の情報端末２と、情報端末２からの要求を受けて処理を行う予約管理サーバ３とを備えている。各情報端末２は、無線回路部２０（図３を参照）を内蔵しており、ショッピングカート１とともに店内を移動する移動局として機能する。このため、店内を移動する各情報端末２との無線通信回線を高品質に確保できるように、店内の主要な複数箇所にそれぞれ無線基地局４を設置している。そして、各無線基地局４を有線または無線の通信回線５を介して前記予約管理サーバ３に接続することにより、情報端末２と予約管理サーバ３とを無線通信回線で接続してなる予約管理システムを構築している。
【００１０】
情報端末２は、ショッピングカート１を使用して買物を行う買物客自身が操作可能なように、ショッピングカート１の握り部等に取付けられている。情報端末２の外観図を図２に示す。また、ブロック図を図３に示す。図示するように、情報端末２は、筐体１１の前面にキーボード１２とディスプレイ１３とカードリーダ１４を設けており、筐体１１の上面にスキャナ１５を設けている。また、制御部本体を構成するＣＰＵ１６、プログラム等の固定的データが予め格納されるＲＯＭ１７、可変的データを一時的に記憶するＲＡＭ１８、現在の日時を計時する時計部１９、送信データの増幅，変調を行いアンテナから電波として放射させる送信回路とアンテナで受信した電波の増幅，復調を行い受信データとして取り込む受信回路からなる無線回路２０及びプリンタ２１を、筐体１１に内蔵している。ＣＰＵ１６と、ＲＯＭ１７，ＲＡＭ１８，時計部１９，無線回路２０及びプリンタ２１とは、アドレスバス，データバス等のバスライン２２で接続している。また、前記キーボード１２，ディスプレイ１３，カードリーダ１４及びスキャナ１５も、バスライン２２を介してＣＰＵ１６に接続している。
【００１１】
プリンタ２１は、商品のクーポン券などを記録紙に印刷するためのもので、印刷された記録紙は筐体11の下面に形成された排出口２３から排出される。ここに、プリンタ２１は、クーポン発行手段を構成する。
【００１２】
スキャナ１５は、商品の識別情報である商品コードを読取可能なもので、入力部として機能する。例えば商品コードがバーコードまたは二次元コードの体系で商品に付されている場合には、バーコードスキャナまたは二次元コードスキャナをスキャナ１５として使用する。また、商品コードを記憶したＲＦＩＤが商品に付されている場合には、ＲＦＩＤリーダ・ライタをスキャナ１５として使用する。
【００１３】
カードリーダ１４は、店舗と会員契約をした各顧客にそれぞれ配布される顧客カードのカードデータを読取るもので、顧客カードには、少なくとも当該顧客を特定するための顧客コードが記録されている。なお、顧客カードの媒体は特に限定されるものではなく、ＩＣカード，磁気カードなどであってもよい。また、非接触ＩＣカードを顧客カードとして用いる場合には、ＲＦＩＤリーダ・ライタをカードリーダ１４として用いればよい。
【００１４】
ディスプレイ１３は、少なくとも文字情報を表示可能な例えば液晶ディスプレイであり、表示部として機能する。
【００１５】
キーボード１２は、図４に示すように、「０」〜「９」の数字キー３１の他、電源キー３２、決定キー３３、取消キー３４、アップキー３５及びダウンキー３６を設けたもので、スキャナ１５と同様に入力部として機能する。なお、この他のファンクションキーが設けられているものを妨げるものではない。また、電源キー３２の代わりに電源スイッチを筐体１１に設けてもよい。また、ショッピングカート１のユーザを検知可能なセンサを設け、ユーザを検知すると自動的に電源がオンし、ユーザが検知されなくなると自動的に電源がオフされるようにして、電源キー３２または電源スイッチを省略してもよい。
【００１６】
予約管理サーバ３は、少なくとも商品データベース６と顧客データベース７を記憶管理する。
【００１７】
商品データベース６では、商品毎に作成される商品情報レコードを保存している。商品情報レコードのデータ体系を図５に示す。図示するように商品情報レコードは、商品コード，商品名，単価，予約可否フラグＦ１，クーポン有無フラグＦ２及びクーポン情報の各項目情報を含む。予約可否フラグＦ１は、当該商品を情報端末２から予約可能か否かを識別する情報であって、この実施の形態では、フラグＦ１が“１”の場合は予約可を示し、“０”の場合は予約不可を示す。クーポン有無フラグＦ２は、当該商品に対してクーポン情報が設定されているか否かを識別する情報であって、この実施の形態では、フラグＦ２が“１”の場合はクーポン情報設定有りを示し、“０”の場合はクーポン情報設定無しを示す。そして、クーポン情報設定無しの商品に対する商品情報レコードは、クーポン情報を省略、あるいはデータ“０”をセットしている。
【００１８】
顧客データベース７では、会員となった顧客毎に作成される顧客情報レコードを保存している。顧客情報レコードのデータ体系を図６に示す。図示するように顧客情報レコードは、顧客コード，顧客氏名，累計ポイント，予約商品数Ｎの各項目情報を含む。また、予約商品数Ｎ分の予約商品情報が付される。予約商品情報は、予約された商品の商品コード，商品名，予約点数及び購入予定日とクーポン処理フラグＦ３の各項目情報で構成されている。クーポン処理フラグＦ３は、予約商品に対するクーポン処理状態を識別する情報であって、この実施の形態では、フラグＦ３が“０”の場合はクーポン情報無しを示し、“１”の場合はクーポン未発行を示し、“２”の場合はクーポン発行済を示す。ここに、顧客データベース７は、客別予約情報記憶手段を構成する。
【００１９】
かかる構成の予約管理システムにおいて、各情報端末２は、特に図７乃至図１０の流れ図に示す手順でＣＰＵ１６が動作するようにプログラムを構成している。  
すなわちＣＰＵ１６は、電源キー３２の押下により電源がオンされると、図７の流れ図に示す処理を開始する。先ず、ＳＴ（ステップ）１としてディスプレイ１３に初期画面を表示させる。初期画面には、例えば情報端末２の利用方法を示すガイダンス等が表示されている。
【００２０】
ＣＰＵ１６は、ＳＴ２にとして顧客カードのカードデータを取得するのを待機する。ここで、カードリーダ１４によって顧客カードのカードデータが読取られると、ＣＰＵ１６は、ＳＴ３としてそのカードデータから当該ショッピングカート１のユーザである買物客を特定する顧客コードを取得する（客コード取得処理）。そして、この顧客コードを含む顧客情報問合せ伝文を生成し、無線回路２０を介して予約管理サーバ３に送信する（顧客情報問合せ処理）。
【００２１】
ここに、情報端末２は、カードリーダ１４及び上記客コード取得処理により、買物客を特定する客コードを取得する客コード取得手段を構成する。
【００２２】
上記顧客情報問合せ伝文は、図１１に示すように、顧客情報問合せ伝文用の種別コードと、伝文送信元である情報端末２を特定するための送信元端末ＩＤと、顧客コードとを少なくとも含む。情報端末２から送信された顧客情報問合せ伝文は、その近傍の無線基地局４で受信され、通信回線５を介して予約管理サーバ３に送信される。
【００２３】
これにより、予約管理サーバ３は、図１２の流れ図に示す顧客情報問合せ受信処理を実行する。すなわち、受信した顧客情報問合せ伝文中の顧客コードで顧客データベース７を検索し（ＳＴ６１）、当該顧客コードを含む顧客情報レコードの有無を判別する（ＳＴ６２：顧客情報検索処理）。その結果、該当する顧客情報レコードを検出したならばその顧客情報レコードを読出し、顧客情報応答伝文を作成して、問合せ元の情報端末１に無線通信回線を経由して送信する（ＳＴ６３：顧客情報送信処理）。なお、該当する顧客情報レコードを検出できなかった場合には、エラー応答伝文を作成して、問合せ元の情報端末２に無線通信回線を経由して送信する。
【００２４】
上記顧客情報応答伝文は、図１３に示すように、応答伝文用の種別コードと、伝文送信先である情報端末２を特定するための送信先端末ＩＤと、顧客コード，顧客氏名，予約商品数Ｎ及びこの商品数分の予約商品情報を含む。予約管理サーバ３から送信された顧客情報応答伝文は、対応する顧客情報問合せ伝文を受信した無線基地局４に通信回線５を介して伝送され、無線電波として発信されて、送信先端末ＩＤが設定された情報端末２の無線回路２０で受信される。
【００２５】
ここに、予約管理サーバ３は、上記顧客情報検索処理及び顧客情報送信処理によって、情報端末２から無線通信回線を経由して顧客情報問合せ信号を受信すると、当該問合せ信号に含まれる客コードで客別予約情報記憶手段である顧客データベース７を検索して当該客コード別に記憶されている予約商品識別情報及び購入予定日情報等を読出し問合せ元の情報端末２に無線通信回線を経由して送信する顧客情報応答手段を構成している。
【００２６】
そこで、顧客情報問合せ伝文を送信した情報端末２のＣＰＵ１６は、ＳＴ４として顧客情報応答伝文を受信するのを待機する（顧客情報受信処理）。そして、所定時間内に顧客情報応答伝文を受信したならば、ＣＰＵ１６は、ＳＴ５としてその顧客情報応答伝文に含まれる顧客コード，顧客氏名，予約商品数Ｎ及び予約商品数Ｎ分の予約商品情報をＲＡＭ１８に書込み記憶する。
【００２７】
しかる後、ＣＰＵ１６は、ＳＴ６としてディスプレイ１３にメニュー画面Ｇ１を表示させる。メニュー画面Ｇ１の一例を図２３に示す。図示するようにメニュー画面Ｇ１には、顧客氏名の他、「予約実行」及び「予約確認」の２種類の業務メニューが表示されている。なお、情報端末２の業務メニューは「予約実行」及び「予約確認」の２種類に限定されるものではなく、この他の業務メニューが設定されていてもよい。
【００２８】
ＣＰＵ１６は、何れかの業務メニューが選択されるのを待機する。そして、例えば数字キー３１の“１”が操作された場合には、メニュー「予約実行」が選択されたので予約実行処理を実行する。また、例えば数字キー３１の“２”が操作された場合には、メニュー「予約確認」が選択されたので予約確認処理を実行する。
【００２９】
一方、メニュー画面Ｇ１を表示させた後、ＳＴ７として電源キー３２が入力されたことを検知した場合、あるいはＳＴ８として時計部１９にて計時される時間が一定時間（例えば１分）を経過する間、いずれのメニューも選択されなかった場合には、ＣＰＵ１６は、ＳＴ９としてディスプレイ１３の表示を消去し、電源を自動的にオフする。または、省電力モードに入る。
【００３０】
図８は予約実行処理の要部処理手順を示す流れ図である。ＣＰＵ１６は、予約実行処理に入ると、先ず、ＳＴ１１としてディスプレイ１３に予約実行画面Ｇ２を表示させる。予約実行画面Ｇ２の一例を図２４に示す。図示するように予約実行画面Ｇ２には、商品の予約に必要な操作ガイダンス等が表示されている。
【００３１】
予約実行画面Ｇ２を表示させた後、ＣＰＵ１６は、予約商品の識別情報である商品コードが入力されるか、取消キー３４が操作入力されるのを待機する。ここで、ＳＴ１３として取消キー３４が操作入力されたことを検知した場合には、予約実行処理の終了が指令されたので、ＣＰＵ１６は、図７中ＳＴ６の処理に戻り、ディスプレイ１３の画面をメニュー画面Ｇ１に戻す。
【００３２】
これに対し、ＳＴ１２としてスキャナ１５を介して商品コードが入力された場合には、ＣＰＵ１６は、ＳＴ１４としてこの商品コードを含む商品情報問合せ伝文を生成し、無線回路２０を介して予約管理サーバ３に送信する（商品情報問合せ処理）。
【００３３】
上記商品情報問合せ伝文は、図１４に示すように、商品情報問合せ伝文用の種別コードと、伝文送信元である情報端末２を特定するための送信元端末ＩＤと、商品コードとを少なくとも含む。情報端末２から送信された商品情報問合せ伝文は、その近傍の無線基地局４で受信され、通信回線５を介して予約管理サーバ３に送信される。
【００３４】
これにより、予約管理サーバ３は、図１５の流れ図に示す商品情報問合せ受信処理を実行する。すなわち、受信した商品情報問合せ伝文中の商品コードで商品データベース６を検索し（ＳＴ７１）、当該商品コードを含む商品情報レコードの有無を判別する（ＳＴ７２：商品情報検索処理）。その結果、該当する商品情報レコードを検出したならばその商品情報レコードを読出し、商品情報応答伝文を作成して、問合せ元の情報端末２に無線通信回線を経由して送信する（ＳＴ７３：商品情報送信処理）。なお、該当する商品情報レコードを検出できなかった場合には、エラー応答伝文を作成して、問合せ元の情報端末２に無線通信回線を経由して送信する。
【００３５】
上記商品情報応答伝文は、図１６に示すように、応答伝文用の種別コードと、伝文送信先である情報端末２を特定するための送信先端末ＩＤと、商品コード，商品名，予約可否フラグＦ１，クーポン有無フラグＦ２及びクーポン情報を含む。予約管理サーバ３から送信された商品情報応答伝文は、対応する商品情報問合せ伝文を受信した無線基地局４に通信回線５を介して伝送され、無線電波として発信されて、送信先端末ＩＤが設定された情報端末２の無線回路２０で受信される。
【００３６】
ここに、予約管理サーバ３は、上記商品情報検索処理及び商品情報送信処理によって、情報端末２から無線通信回線を経由して商品情報問合せ信号を受信すると、当該問合せ信号に含まれる商品コードで商品情報記憶手段である商品データベース６を検索して当該商品コード別に記憶されている商品名，クーポン有無フラグ，クーポン情報等を読出し問合せ元の情報端末２に無線通信回線を経由して送信する商品情報応答手段を構成している。
【００３７】
商品情報問合せ伝文を送信した情報端末２のＣＰＵ１６は、ＳＴ１５として商品情報応答伝文を受信するのを待機する。そして、所定時間内に商品情報応答伝文を受信したならば、ＣＰＵ１６は、その商品情報応答伝文に含まれる商品コード，商品名，予約可否フラグＦ１，クーポン有無フラグＦ２及びクーポン情報をＲＡＭ１８に書込み記憶する（予約商品情報取得処理）。しかる後、ＣＰＵ１６は、ＳＴ１６としてＲＡＭ１８に書き込んだ予約可否フラグＦ１が“１”か否か、つまりは予約可能な商品か否かを判断する（予約可否判断処理）。
【００３８】
ここで、予約可否フラグＦ１が“１”、すなわち予約可能な商品であると判断された場合には、ＣＰＵ１６は、ＳＴ１７としてＲＡＭ１８に記憶した商品コードで、同じくＲＡＭ１８に記憶している予約商品情報を検索し、同一商品コードがセットされた予約商品情報が存在するか否か、つまりは予約済の商品を再度予約したか否かを判断する（重複予約判断処理）。
【００３９】
ここで、同一商品コードがセットされた予約商品情報が存在しない、すなわち今回の予約商品はまだ予約されていない商品の場合には、ＣＰＵ１６は、ＳＴ１８としてディスプレイ１３に予約確認画面Ｇ３を表示させる。これに対し、同一商品コードがセットされた予約商品情報が存在する、すなわち今回の予約商品は以前に予約している商品の場合には、ＣＰＵ１６は、ＳＴ１９としてディスプレイ１３に予約済確認画面Ｇ４を表示させる（予約確認処理）。
【００４０】
予約確認画面Ｇ３の一例を図２５に示す。また、予約済確認画面Ｇ４の一例を図２６に示す。いずれの画面にも、必要なコメントの他、予約をする場合には決定キー３３を操作することを、予約をしない場合には取消キー３４を操作することをそれぞれ指示するガイダンスが表示されている。
【００４１】
そこでＣＰＵ１６は、予約確認画面Ｇ３または予約済確認画面Ｇ４を表示させた後、決定キー３３または取消キー３４が操作入力されるのを待機する。そして、ＳＴ２０として取消キー３４の操作入力を検知した場合には、予約しないことが指示されたので、ＣＰＵ１６は、図８中ＳＴ１１の処理に戻り、ディスプレイ１３の画面を予約実行画面Ｇ２に戻す。
【００４２】
これに対し、ＳＴ２１として決定キー３３の操作入力を検知した場合には、予約することが指示されたので、ＣＰＵ１６は、ＳＴ２２として購入予定日及び予約数量の入力を促す画面をディスプレイ１３に表示させる（予約情報受付処理）。そして、ＳＴ２３として数字キー３１の操作により購入予定日と予約数量が入力されたことを検知した場合には、この購入予定日と予約数量の情報をＲＡＭ１８で記憶する。しかる後、ＣＰＵ１６は、ＳＴ２４としてＲＡＭ１８に記憶しているクーポン有無フラグＦ２が“１”にセットされているか否か、つまりは予約商品に対してクーポン情報が設定さていれるか否かを判断する（クーポン有無判断処理）。
【００４３】
ここで、クーポン有無フラグＦ２が“１”にセットされている、すなわち予約商品にクーポン情報が設定されている場合には、ＣＰＵ１６は、ＳＴ２５としてディスプレイ１３にクーポン確認画面Ｇ５を表示させる。クーポン確認画面Ｇ５の一例を図２７に示す。図示するようにクーポン確認画面Ｇ５には、クーポンを今すぐに発行するか後で発行するかを買物客に問合せるコメントと、今すぐに発行する場合には決定キー３３を、後で発行する場合には取消キー３４をそれぞれ操作することを指示するガイダンスとが表示されている。
【００４４】
そこでＣＰＵ１６は、ＳＴ２６として決定キー３３または取消キー３４が操作入力されるのを待機する。そして、決定キー３３が操作入力されたことを検知した場合には、ＣＰＵ１６は、ＳＴ２７としてＲＡＭ１８に記憶しているクーポン情報をプリンタ２１に出力してクーポン券の印刷を行わせ、排出口２３からクーポン券を排出させる（クーポン発行処理）。取消キー３４が操作入力されたことを検知した場合には、ＳＴ２７の処理は行わない。
【００４５】
その後、ＣＰＵ１６は、ＳＴ２８として予約確定情報伝文を生成し、無線回路２０を介して予約管理サーバ３に送信する（予約確定情報送信処理）。
【００４６】
なお、ＳＴ２４にてクーポン有無フラグＦ２が“０”にリセットされている、すなわち予約商品にクーポン情報が設定されていない場合には、ＣＰＵ１６は、ＳＴ２５〜ＳＴ２７の処理を省略して、予約確定情報伝文を生成し、無線回路２０を介して予約管理サーバ３に送信する（予約確定情報送信処理）。
【００４７】
上記予約確定情報伝文は、図１７に示すように、予約確定情報伝文用の種別コードと、伝文送信元である情報端末２を特定するための送信元端末ＩＤと、ＲＡＭ１８に記憶している顧客コード，商品コード（予約商品コード），商品名（予約商品名），予約数量及び購入予定日と、クーポン処理フラグＦ３とを少なくとも含む。クーポン処理フラグＦ３は、クーポン情報が設定されていなかった場合には“０”となり、クーポン券の発行を行わなかった場合には”１”となり、クーポン券を印刷発行した場合には“２”となる。情報端末２から送信された予約確定情報伝文は、その近傍の無線基地局４で受信され、通信回線５を介して予約管理サーバ３に送信される。
【００４８】
これにより、予約管理サーバ３は、図１８の流れ図に示す予約確定情報受信処理を実行する。すなわち、受信した予約確定情報伝文中の顧客コードで顧客データベース７を検索し（ＳＴ８１）、当該顧客コードを含む顧客情報レコードを確認した後（ＳＴ８２）、この顧客情報レコードの予約商品数Ｎを“１”加算する（ＳＴ８３）。また、この顧客情報レコードに、受信伝文中の予約商品コード，予約商品名，予約数量，購入予定日及びクーポン処理フラグＦ３からなる予約商品情報を追加する（ＳＴ８４：客別予約情報記憶処理）。
【００４９】
予約確定情報伝文を送信した情報端末２のＣＰＵ１６は、ＳＴ１１の処理に戻り、ディスプレイ１３の画面を予約実行画面Ｇ２に戻す。そして、次の商品が予約されるか、予約実行処理の終了が宣言されるのを待機する。
【００５０】
なお、ＳＴ１６において予約管理サーバ３から応答のあった商品情報の予約可否フラグＦ１が”０”であった場合、すなわち予約不可能な商品であると判断された場合には、ＣＰＵ１６は、ＳＴ２９として予約不可であることを示すコメントが示された予約不可画面をディスプレイ１３に表示させる。そして、ＳＴ３０としてコメントの確認を宣言する決定キー３３が操作入力されたことを検知したならば、ＳＴ１１の処理に戻り、ディスプレイ１３の画面を予約実行画面Ｇ２に戻すものとなっている。
【００５１】
ここに、情報端末２は、上記予約情報受付処理及び予約確定情報送信処理により、客コード取得手段により客コードが取得されたことを条件に当該買物客が予約する商品の識別情報及び購入予定日情報の入力を受付け、入力部を介して予約商品識別情報及び購入予定日情報が入力されると、この入力情報を客コードとともに予約管理サーバ３に無線回路部を介して送信する商品予約処理手段を構成する。
【００５２】
また、本実施の形態では、商品予約処理手段は、上記クーポン有無判断処理及びクーポン発行処理を含んでおり、これにより、入力部を介して予約商品識別情報及び購入予定日情報が入力された商品に対してクーポン情報が設定されているか否かを判断し、設定されている場合にはそのクーポン情報に基づくクーポンの発行を可能にしている。
【００５３】
図９は予約確認処理の要部処理手順を示す流れ図である。ＣＰＵ１６は、予約確認処理に入ると、先ず、ＳＴ３１としてＲＡＭ１８に記憶している予約商品数Ｎが“０”より大きいか否か、つまりは予約商品情報を記憶しているか否かを判断する。ここで、予約商品数Ｎが“１”以上であった場合には、予約商品情報を記憶しているので、ＣＰＵ１６は、ＳＴ３２としてこの予約商品情報に基づいて予約商品リストを作成し、予約商品リスト画面Ｇ６をディスプレイ１３に表示させる（予約商品リスト表示処理）。また、ＳＴ３３として時計部１９で計時されている現在日付（当日）と予約商品情報中の購入予定日とを比較し、当日が購入予定日若しくは購入予定日をすでに経過している商品がある場合には、ＳＴ３４として予約商品リストにおける当該商品の情報に、購入予定日警告マークを表示させる。
【００５４】
予約商品リスト画面Ｇ６の一例を図２８に示す。図示するように予約商品リスト画面Ｇ６には、予約商品名，予約数，購入予定日及びクーポン処理状態を一覧にした予約商品リストが表示されている。また、当日が購入予定日若しくは購入予定日をすでに経過している商品に対しては、購入予定日警告マークとして星印が表示されている。これにより、当日が購入予定日若しくは購入予定日をすでに経過している商品と購入予定日に達していない商品とが容易に識別される。なお、購入予定日警告マークが星印に限定されないのは言うまでもないことである。また、当日が購入予定日若しくは購入予定日をすでに経過している商品を示すリスト上の文字を他の商品の文字と色を変えたり、境界線を引いたりすることによって、当日が購入予定日若しくは購入予定日をすでに経過している商品と購入予定日に達していない商品とを識別可能としてもよい。
【００５５】
予約商品リスト画面Ｇ６を表示させた後、ＣＰＵ１６は、キーボード１２の操作入力を待機する。ここで、ＳＴ３５として決定キー３３の操作入力を検知した場合には、予約商品リストの確認終了が宣言されたので、ＣＰＵ１６は、図７のＳＴ６の処理に戻り、ディスプレイ１３の画面をメニュー画面Ｇ１に戻す。
【００５６】
ここに情報端末２は、前記顧客情報問合せ処理及び顧客情報受信処理と、上記予約商品リスト表示処理とにより、客コード取得手段により取得された客コードを含む問合せ信号を予約管理サーバ３に無線回路部を介して送信し、この問合せ信号に応答して予約管理サーバ３から送信される情報を無線回路部で受信し表示部であるディスプレイ１３に表示する顧客情報処理手段を構成している。そして、この顧客情報処理手段は、上述したように予約管理サーバ３から受信した予約商品識別情報及び購入予定日情報をリストとしてディスプレイ１３に表示可能である。しかも、購入予定日が経過している商品と経過していない商品とが区別されたリストとしてディスプレイ１３に表示可能である。
【００５７】
一方、予約商品リスト画面Ｇ６を表示させた状態において、ＳＴ３６として数字キー３１の“１”が操作入力されたことを検知した場合には、クーポン発行が宣言されたので、ＣＰＵ１６は、後述するクーポン発行処理を実行する。また、ＳＴ３７として数字キー３１の“２”が操作入力されたことを検知した場合には、予約取消が宣言されたので、ＣＰＵ１６は、次の予約取消処理を実行する。
【００５８】
先ず、ＣＰＵ１６は、ＳＴ３８として予約商品リストから予約を取り消す商品が選択されるのを待機する。ここで、アップキー３５またはダウンキー３６の操作によりリスト上のいずれかの商品が選択され、決定キー３３が操作入力されると予約取消商品が選択されたと判断する（予約取消商品選択処理）。そしてＣＰＵ１６は、ＳＴ３９として予約取消確認画面Ｇ７をディスプレイ１３に表示させる。予約取消確認画面Ｇ７の一例を図２９に示す。図示するように予約取消確認画面Ｇ７には、選択された取消商品の商品名と、取消す場合には決定キー３３を、取消を中止する場合には取消キー３４を操作することを指示するガイダンスとが表示されている。
【００５９】
そこでＣＰＵ１６は、ＳＴ４０として決定キー３３が操作入力されるか、ＳＴ４１として取消キー３４が操作入力されるのを待機する。そして、取消キー３４が操作入力された場合には、取消中止が指令されたので、ＣＰＵ１６は、ＳＴ３２の処理に戻り、ディスプレイ１３の画面を予約商品リスト画面Ｇ６に戻す。
【００６０】
一方、決定キー３３が操作入力された場合には、取消実行が指令されたので、ＣＰＵ１６は、ＳＴ４２として予約取消情報伝文を作成し、無線回路２０を介して予約管理サーバ３に送信する（予約取消情報送信処理）。また、ＳＴ４３として、取消商品の予約商品情報をＲＡＭ１８から削除して、予約商品リストを更新する。しかる後、ＳＴ３２の処理に戻り、ディスプレイ１３の画面を最新の予約商品リスト画面Ｇ６に変更する。
【００６１】
上記予約取消情報伝文は、図１９に示すように、予約取消情報伝文用の種別コードと、伝文送信元である情報端末２を特定するための送信元端末ＩＤと、ＲＡＭ１８に記憶している顧客コードと、予約取消商品の商品コード（取消商品コード）とを少なくとも含む。情報端末２から送信された予約取消情報伝文は、その近傍の無線基地局４で受信され、通信回線５を介して予約管理サーバ３に送信される。
【００６２】
ここに、情報端末２は、上記予約取消商品選択処理及び予約取消情報送信処理により、顧客情報処理手段により表示部であるディスプレイ１３に表示されたリストから予約取消商品の選択を可能とし、予約取消商品が選択されるとその予約取消商品の識別情報を客コードとともに予約管理サーバ３に無線回路部を介して送信する予約取消指令手段を構成する。
【００６３】
上記予約取消情報伝文を受信した予約管理サーバ３は、図２０の流れ図に示す予約取消情報受信処理を実行する。すなわち、受信した予約取消情報伝文中の顧客コードで顧客データベース７を検索し（ＳＴ９１：予約取消商品検索処理）、当該顧客コードを含む顧客情報レコードを確認した後（ＳＴ９２）、この顧客情報レコードの予約商品数Ｎを“１”減算する（ＳＴ９３）。また、この顧客情報レコードから、受信伝文中の取消商品コードを含む予約商品情報を削除する（ＳＴ９４：予約取消商品取消処理）。
【００６４】
ここに、予約管理サーバ３は、上記予約取消商品検索処理及び予約取消商品取消処理により、情報端末２から無線通信回線を経由して予約取消商品の識別情報が送られてくると、この識別情報に付加されている客コードで客別予約情報記憶手段である顧客データベース７を検索して当該客コード別に記憶されている情報の中から当該予約取消商品の識別情報と一致する予約商品識別情報及び購入予定日情報を削除する予約取消処理手段を構成する。
【００６５】
なお、ＳＴ３１において、予約商品数Ｎが“０”以上であった場合には、ＣＰＵ１６は、予約商品がないことを示すコメントをディスプレイ１３に表示させる。そして、ＳＴ４５としてコメントの確認を宣言する決定キー３３が操作入力されたことを検知したならば、ＳＴ１１の処理に戻り、ディスプレイ１３の画面を予約実行画面Ｇ２に戻すものとなっている。
【００６６】
図１０は前記クーポン発行処理の要部処理手順を示す流れ図である。ＣＰＵ１６は、クーポン発行処理に入ると、先ず、ＳＴ５１として予約商品リストからクーポンを発行する商品が選択されるのを待機する。ここで、アップキー３５またはダウンキー３６の操作によりリスト上のいずれかの商品が選択され、決定キー３３が操作入力されるとクーポン発行商品が選択されたと判断する（クーポン商品選択処理）。そしてＣＰＵ１６は、ＳＴ５２として当該クーポン発行商品の予約商品情報に含まれるクーポン処理フラグＦ３を調べる（クーポン状況判定処理）。
【００６７】
ここで、クーポン処理フラグＦ３が“１”すなわちクーポン未発行であった場合には、ＣＰＵ１６は、ＳＴ５３としてクーポン発行確認画面Ｇ８をディスプレイ１３に表示させる。クーポン発行確認画面Ｇ８の一例を図３０に示す。図示するようにクーポン発行確認画面Ｇ８には、選択されたクーポン発行商品の商品名と、クーポンを発行する場合には決定キー３３を、発行を中止する場合には取消キー３４を操作することを指示するガイダンスとが表示されている。
【００６８】
そこでＣＰＵ１６は、ＳＴ５４として決定キー３３が操作入力されるか、ＳＴ５５として取消キー３４が操作入力されるのを待機する。そして、取消キー３４が操作入力された場合には、クーポンの発行中止が指令されたので、ＣＰＵ１６は、ＳＴ３２の処理に戻り、ディスプレイ１３の画面を予約商品リスト画面Ｇ６に戻す。
【００６９】
一方、決定キー３３が操作入力された場合には、クーポンの発行が指令されたので、ＣＰＵ１６は、ＳＴ５６として当該クーポン発行商品の予約商品情報に含まれるクーポン情報をプリンタ２１に出力してクーポン券の印刷を行わせ、排出口２３からクーポン券を排出させる（クーポン発行制御処理）。また、ＳＴ５７としてクーポン発行情報伝文を作成し、無線回路２０を介して予約管理サーバ３に送信する（クーポン発行情報送信処理）。さらに、ＳＴ５８として、クーポン発行商品の予約商品情報に含まれるクーポン処理フラグを“２”に変更して、予約商品リストを更新する。しかる後、ＳＴ３２の処理に戻り、ディスプレイ１３の画面を最新の予約商品リスト画面Ｇ６に変更する。
【００７０】
上記クーポン発行情報伝文は、図２１に示すように、クーポン発行情報伝文用の種別コードと、伝文送信元である情報端末２を特定するための送信元端末ＩＤと、ＲＡＭ１８に記憶している顧客コードと、クーポン発行商品の商品コード（対象商品コード）とを少なくとも含む。情報端末２から送信されたクーポン発行情報伝文は、その近傍の無線基地局４で受信され、通信回線５を介して予約管理サーバ３に送信される。
【００７１】
ここに、情報端末２は、上記クーポン商品選択処理，クーポン状況判定処理，クーポン発行制御処理及びクーポン発行情報送信処理により、顧客情報処理手段により表示部であるディスプレイ１３に表示された予約商品リストからクーポン発行商品の選択を可能とし、クーポン発行商品が選択されるとその商品に対するクーポンが発行済か否かを判断し、発行済でないと判断されるとクーポン発行手段を介して当該クーポン発行商品に対するクーポンを発行させるとともに当該クーポン発行商品の識別情報を客コードとともに予約管理サーバ３に無線回路部を介して送信するクーポン発行制御手段を構成する。
【００７２】
クーポン発行情報伝文を受信した予約管理サーバ３は、図２２の流れ図に示すクーポン発行情報受信処理を実行する。すなわち、受信したクーポン発行情報伝文中の顧客コードで顧客データベース７を検索し（ＳＴ１０１：クーポン情報検索処理）、当該顧客コードを含む顧客情報レコードを確認した後（ＳＴ１０２）、この顧客情報レコードの対象商品コードがセットされた予約商品情報のクーポン処理フラグＦ３を“２”に変更する（ＳＴ１０３：クーポン情報更新処理）。
【００７３】
なお、ＳＴ５２において、該当するクーポン処理フラグＦ３が“１”（クーポン情報無し）または“２”（クーポン発行済）であった場合には、ＣＰＵ１６は、ＳＴ５９としてクーポンの発行不可を示すコメントをディスプレイ１３に表示させる。そして、ＳＴ６０としてコメントの確認を宣言する決定キー３３が操作入力されたことを検知したならば、ＳＴ１１の処理に戻り、ディスプレイ１３の画面を予約実行画面Ｇ２に戻すものとなっている。
【００７４】
このように構成された本実施の形態の予約管理システムが構築されている小売店では、来店した買物客はショッピングカート１を使用して売場を回り、購入する商品をカートに入れて買物を行う。そして買物の途中で、次回またはそれ以後の買物の際に購入したい商品があったならば、ショッピングカート１に取付けられた情報端末２を操作して予約を行う。
【００７５】
すなわち買物客は、情報端末２の電源投入後、自身の顧客カードのカードデータをカードリーダ１４で読取らせる。そうすると、情報端末２のディスプレイ１３にメニュー画面Ｇ１が表示されるので、買物客は「予約実行」を選択する。そうすると、ディスプレイ１３に予約実行画面Ｇ２が表示されるので、買物客は、表示に従い、予約したい商品の商品コードを情報端末２のスキャナ１５で読取らせる。
【００７６】
ここで、この商品コードに対応して設定されている予約可否フラグＦ１が“１”つまり予約可能な場合には、この商品を当該買物客がすでに予約しているか否かによってディスプレイ１３の画面が異なる。すなわち、新たに予約した商品の場合には、ディスプレイ１３には予約確認画面Ｇ３が表示される。これに対し、すでに予約済の商品の場合には、ディスプレイ１３には予約済確認画面Ｇ４が表示される。いずれの場合も、予約を実行する場合には、買物客は情報端末２の決定キー３３を押下する。そうすると、購入予定日及び数量入力画面が表示されるので、数字キー３１を操作して所望する購入予定日及び数量を入力する。
【００７７】
ここで、この商品にクーポン情報が設定されていた場合には、ディスプレイ１３にクーポン確認画面Ｇ５が表示される。クーポン券は、予約時、すなわち今発行してもよいし、後例えば当該商品の購入時に発行してもよい。後で発行する場合には、取消キー３４を押下する。これに対し、今すぐに発行する場合には、買物客は、決定キー３３を押下する。そうすると、情報端末２のプリンタ２１によりクーポン情報が印刷されて、排出口２３からクーポン券が発行される。
【００７８】
以上の操作を行うことにより、当該情報端末２から予約管理サーバ３に対して予約確定情報が無線通信により送信される。これにより、予約管理サーバ３では当該買物客別に予約商品情報が記憶管理される。
【００７９】
ところで、買物客が情報端末２のカードリーダ１４で顧客カードのカードデータを読取らせると、情報端末２から予約管理サーバ３に対して顧客情報問合せ伝文が送信される。そして、この問合わせに応じて、予約管理サーバ３では顧客データベース７が検索され、当該買物客の予約商品情報を含む応答伝文が当該情報端末２に返信される。
【００８０】
そこで買物客は、予約商品を確認したい場合、メニュー画面Ｇ１から「予約確認」を選択する。そうすると、予約商品の品名，予約数量，購入予定日及びクーポン発行状況を示す予約商品リストの画面Ｇ６がディスプレイ１３に表示される。これにより、買物客は、予約している商品の内容を容易に確認できる。
【００８１】
ここで、予約を取り消したい商品があった場合には、買物客は数字キー３１の「２」を押下するとともに、リスト上の予約取消商品を選択して決定キー３３を押下する。そうすると、ディスプレイ１３に予約取消確認画面G6が表示されるので、間違いがない場合には決定キー３３を再度押下する。そうすると、当該情報端末２から予約管理サーバ３に予約取消情報が無線送信されて、顧客データベース７で客別に記憶管理されている予約商品情報のうち予約取消商品の予約商品情報が削除され、予約が取り消される。
【００８２】
また、クーポン未発行の商品で今発行したい商品があった場合には、買物客は数字キー３１の「１」を押下するとともに、リスト上のクーポン発行対象商品を選択して決定キー３３を押下する。そうすると、ディスプレイ１３にクーポン発行確認画面G7が表示されるので、間違いがない場合には決定キー３３を再度押下する。そうすると、情報端末２のプリンタ２１によりクーポン発行対象商品のクーポン情報が印刷されて、クーポン券が排出口２３から発行される。また、当該情報端末２から予約管理サーバ３にクーポン発行情報が無線送信されて、顧客データベース７で客別に記憶管理されている予約商品情報のうちクーポン発行対象商品のクーポン処理フラグＦ３が“２”に更新され、クーポン発行済が管理される。
【００８３】
例えば今、図２８に示す予約商品リスト画面Ｇ６が表示された買物客が、商品ＡＡＡの予約を取り消すとともに、商品ＢＢＢのクーポン券発行を指示するべく情報端末２を操作したとする。そうすると、予約商品リスト画面Ｇ６は、図３１に示す内容に更新される。これにより、買物客は、本日が購入予定日の商品ＢＢＢを予約していること、及び商品ＣＣＣを８月４日購入予定で予約していることを確認できる。
【００８４】
このように本実施の形態によれば、店内での買物途中で次回以降に購入したい商品を見付けた場合には、その商品の購入予約をその場でセルフ操作により簡単に行うことができる。また、予約した商品はいつでも購入予定日を含めて情報端末２を介して確認することができる。したがって、予約した商品の買い忘れを防止することができる。
【００８５】
しかも、予約確認時のみならず商品予約時にも携帯電話機等の通信コストがかかる機器を必要としない。したがって、顧客に無駄な経費を負担させないので、システムの利便性を買物客に強くアピールできるので、会員の増加、ひいては店舗売上の増加が期待できる。
【００８６】
また、予約商品に対してクーポン券がある場合には、そのクーポン券を情報端末２から容易に取得することができる。クーポン券は、予約時に取得することもできるし、予約商品を購入するときに取得することも可能である。そこで、商品を事前に予約するとクーポン券が得られることを買物客にアピールすることによって、さらなる会員の増加が期待できる。
【００８７】
なお、この発明は前記実施形態そのままに限定されるものではなく、実施段階ではその要旨を逸脱しない範囲で構成要素を変形して具体化できる。
【００８８】
例えば前記実施の形態では、クーポン情報がある商品を予約した場合に、そのクーポン情報を印刷したクーポン券を発行するようにしたが、情報端末２に赤外線通信等の通信インターフェイスを装備し、携帯電話機等の通信端末にクーポン情報を送信して、クーポン情報を通信端末の画面に表示させることで値引などの特典が得られるようにしてもよい。この場合、情報端末２からプリンタ２１を省略できるので、筐体１１の小型・軽量化を図ることができる。
【００８９】
また、前記実施の形態では、メニュー「予約確認」を選択しないと予約商品のストが表示されないが、メニュー画面に予約商品リストを表示させるようにしてもよい。こうすることにより、予約した商品の買い忘れをより確実に防止できる効果を奏する。また、メニュー画面Ｇ１を表示する際に、予約商品の中で購入予定日を経過している商品の有無を判断し、該当する商品有りの場合にはメニュー画面に購入予定日の商品があることを示す警告を表示させるようにしてもよい。このように構成することによっても、買い忘れ防止の効果をより高めることができる。
【００９０】
また、前記実施の形態では情報端末２をショッピングカート１に取付けたが、買い物籠に取付けてもよい。あるいは、来店した買物客のなかの希望者に配布して携帯させるようにしてもよい。
【００９１】
この他、前記実施形態に開示されている複数の構成要素の適宜な組合せにより種々の発明を形成できる。例えば、実施形態に示される各種手段の全構成要素から幾つかの構成要素を削除してもよい。さらに、異なる実施形態に亘る構成要素を組合わせてもよい。
【図面の簡単な説明】
【００９２】
【図１】本発明の一実施形態である予約管理システムの概略構成図。
【図２】同予約管理システムに用いられる情報端末の概観斜視図。
【図３】同情報端末の要部構成を示すブロック図。
【図４】同情報端末が有するキーボードの主要なキー配置を示す平面図。
【図５】同予約管理システムの予約管理サーバが管理する商品データベースに保存される商品情報レコードのデータ体系を示す模式図。
【図６】同予約管理システムの予約管理サーバが管理する顧客データベースに保存される顧客情報レコードのデータ体系を示す模式図。
【図７】同情報端末のＣＰＵが実行するメイン処理の要部手順を示す流れ図。
【図８】図７における予約実行処理の手順を具体的に示す流れ図。
【図９】図７における予約確認処理の手順を具体的に示す流れ図。
【図１０】図９におけるクーポン発行処理の手順を具体的に示す流れ図。
【図１１】同予約管理システムにおいて情報端末から予約管理サーバに伝送される顧客情報問合せ伝文のデータ構造を示す模式図。
【図１２】同予約管理サーバが実行する顧客情報問合せ伝文受信処理の主要な手順を示す流れ図。
【図１３】同予約管理システムにおいて予約管理サーバから情報端末に伝送される顧客情報応答伝文のデータ構造を示す模式図。
【図１４】同予約管理システムにおいて情報端末から予約管理サーバに伝送される商品情報問合せ伝文のデータ構造を示す模式図。
【図１５】同予約管理サーバが実行する商品情報問合せ伝文受信処理の主要な手順を示す流れ図。
【図１６】同予約管理システムにおいて予約管理サーバから情報端末に伝送される商品情報応答伝文のデータ構造を示す模式図。
【図１７】同予約管理システムにおいて情報端末から予約管理サーバに伝送される予約確定情報伝文のデータ構造を示す模式図。
【図１８】同予約管理サーバが実行する予約確定情報伝文受信処理の主要な手順を示す流れ図。
【図１９】同予約管理システムにおいて情報端末から予約管理サーバに伝送される予約取消情報伝文のデータ構造を示す模式図。
【図２０】同予約管理サーバが実行する予約取消情報伝文受信処理の主要な手順を示す流れ図。
【図２１】同予約管理システムにおいて情報端末から予約管理サーバに伝送されるクーポン発行情報伝文のデータ構造を示す模式図。
【図２２】同予約管理サーバが実行するクーポン発行情報伝文受信処理の主要な手順を示す流れ図。
【図２３】同情報端末のディスプレイに表示されるメニュー画面の一例を示す平面図。
【図２４】同情報端末のディスプレイに表示される予約実行画面の一例を示す平面図。
【図２５】同情報端末のディスプレイに表示される予約確認画面の一例を示す平面図。
【図２６】同情報端末のディスプレイに表示される予約済確認画面の一例を示す平面図。
【図２７】同情報端末のディスプレイに表示されるクーポン確認画面の一例を示す平面図。
【図２８】同情報端末のディスプレイに表示される予約商品リスト画面の一例を示す平面図。
【図２９】同情報端末のディスプレイに表示される予約取消確認画面の一例を示す平面図。
【図３０】同情報端末のディスプレイに表示されるクーポン発行確認画面の一例を示す平面図。
【図３１】同情報端末のディスプレイに表示される予約商品リスト画面の一例を示す平面図。
【符号の説明】
【００９３】
１…ショッピングカート、２…情報端末、３…予約管理サーバ、４…無線基地局、５…通信回線、６…商品データベース、７…顧客データベース、１２…キーボード、１３…ディスプレイ、１４…カードリーダ、１５…スキャナ、１６…ＣＰＵ、１７…ＲＯＭ、１８…ＲＡＭ、１９…時計部、２０…無線回路、２１…スキャナ。
【図１】
2007065748.tif 000003
【図２】
2007065748.tif 000004
【図３】
2007065748.tif 000005
【図４】
2007065748.tif 000006
【図５】
2007065748.tif 000007
【図６】
2007065748.tif 000008
【図７】
2007065748.tif 000009
【図８】
2007065748.tif 000010
【図９】
2007065748.tif 000011
【図１０】
2007065748.tif 000012
【図１１】
2007065748.tif 000013
【図１２】
2007065748.tif 000014
【図１３】
2007065748.tif 000015
【図１４】
2007065748.tif 000016
【図１５】
2007065748.tif 000017
【図１６】
2007065748.tif 000018
【図１７】
2007065748.tif 000019
【図１８】
2007065748.tif 000020
【図１９】
2007065748.tif 000021
【図２０】
2007065748.tif 000022
【図２１】
2007065748.tif 000023
【図２２】
2007065748.tif 000024
【図２３】
2007065748.tif 000025
【図２４】
2007065748.tif 000026
【図２５】
2007065748.tif 000027
【図２６】
2007065748.tif 000028
【図２７】
2007065748.tif 000029
【図２８】
2007065748.tif 000030
【図２９】
2007065748.tif 000031
【図３０】
2007065748.tif 000032
【図３１】
2007065748.tif 000033